(57)【特許請求の範囲】
【請求項１】
腰ベルトより幅広で腰ベルト位置に配設する帯板状の腰当て部の両端部にベルト挿通片を設けて両端部にベルト挿通部を設けると共に、この両端部のベルト挿通部の中間部にベルト挿通片を前記両端部間でスライド移動自在に設けて前記両端部のベルト挿通部の中間部に移動自在な中間ベルト挿通部を設けたことを特徴とするベルト挿通用腰当て。
【請求項２】
前記両端部のベルト挿通部の中間部にガイド帯を付設し、このガイド帯に環状の前記ベルト挿通片を被嵌して、前記両端部のベルト挿通部の中間部にこのガイド帯に沿って移動自在な前記中間ベルト挿通部を設けたことを特徴とする請求項１記載のベルト挿通用腰当て。
【発明の詳細な説明】
【０００１】
【発明の属する技術分野】
本発明は、例えば大工作業や電気工事の際に、作業者が腰部に工具袋や釘袋などを装着して携帯するために使用するベルト挿通用腰当てに関するものである。
【０００２】
【従来の技術及び発明が解決しようとする課題】
従来から、例えば電気工事や大工作業の際に、金槌やスパナなどの工具を入れた工具袋を作業者の腰部に装着できるようにするベルト挿通用腰当てが市販されている。
【０００３】
この腰当ては、腰ベルトよりも幅広な帯板状の腰当て部を設け、この腰当て部の両端部及び中間部の外面に、腰ベルトを通して腰ベルトの所定の位置に腰当てを取り付けるためのベルト挿通片を止着して両端部のベルト挿通部とその間の中間ベルト挿通部を設けた構成であり、このベルト挿通部及び中間ベルト挿通部に、工具袋の上部に形成したベルト挿通部を介して腰ベルトを挿通することで、腰部の所定位置に腰ベルトにより工具袋を配置することができるもので、このベルト挿通用腰当てを使用することによって重量のある工具袋を腰部に装着しても腰部への負担が軽減され、作業をスムーズに行えることになるという理由から非常に好評である。
【０００４】
しかしながら、腰部携帯用の工具袋の中には、幅の狭いものから幅広なものまで様々なサイズのものが市販されており、この工具袋が腰当て部の端部と中間部とにあるベルト挿通部間の間隔より幅の狭いものであれば腰当て部に対して問題なく使用できるのであるが、工具袋の幅が端部のベルト挿通部と中間のベルト挿通部との間隔よりも幅広なものの場合には、端部のベルト挿通部あるいは中間ベルト挿通部に工具袋を介した腰ベルトを挿通することができず、事実上装着できない。
【０００５】
そこで、この問題を解決すべく、予め中間ベルト挿通部を腰当て部の真ん中よりも左右どちらかにずらして止着し、腰当て部の左右どちらかの端部から中間ベルト挿通部までの間隔が大きい側に幅広な工具袋を装着し得るように構成したベルト挿通用腰当ても提案されているが、この場合、幅広な工具袋を配することができる位置が腰当て部の左右どちらか一方に制限されてしまう問題を有するものであった。
【０００６】
即ち、例えば、中間のベルト挿通部を腰当て部の真ん中よりも左側に止着固定した腰当ては（右利き用腰当て）、腰当て部の右端部のベルト挿通部と中間ベルト挿通部の間の間隔が広いため、この広い間隔部位に幅広な工具袋を装着することができ、また、この腰当て自体を作業者の腰部に対して、作業者の腰部右側に向けてスライド移動させると、幅広な工具袋を作業者の腰部の右側寄りに確固に装着することができる。一方、この右利き用の腰当ては、中間ベルト挿通部が腰当て部の真ん中よりも左側に止着固定しているため、左端部のベルト挿通部と中間ベルト挿通部との間隔は狭くなっており、このため腰当て部の左寄りには幅広な工具袋を装着することはできず、たとえこの腰当て自体を作業者の腰部に対して、左側部に向けてスライド移動させたとしても、幅広な工具袋はこの腰当て部の右寄りにしか配されないため、この腰当て部が作業者の腹部に配されるまでスライド移動する以外に、幅広な工具袋を作業者の腰部の左側寄りに装着することができないこととなり、事実上、装着できない。
【０００７】
つまり、この右利き用の腰当てでは、左利きの作業者が作業をし易い腰部左側寄りに幅広の工具袋を装着することができず、逆に、左利き用の腰当てでは、右利きの作業者が作業をし易い腰部右側寄りに幅広の工具袋を装着することができない。
【０００８】
本発明はこれらの問題点に着目し、これを解決したもので、これまでの腰当てに簡易な工夫を施すことで、異なる幅を有する腰部携帯用工具袋（特に幅広な工具袋）であっても、中間のベルト挿通部のスライド移動によりスムーズに装着でき、また、作業員が右利きであっても左利きであっても、作業者の好みに応じた所定位置に幅広な工具袋であっても所望位置に配置することができる実用性に秀れた画期的なベルト挿通用腰当てを提供することを目的としている。
【０００９】
【課題を解決するための手段】
添付図面を参照して本発明の要旨を説明する。
【００１０】
腰ベルト１より幅広で腰ベルト１位置に配設する帯板状の腰当て部２の両端部にベルト挿通片３を設けて両端部にベルト挿通部４を設けると共に、この両端部のベルト挿通部４の中間部にベルト挿通片５を前記両端部間でスライド移動自在に設けて前記両端部のベルト挿通部４の中間部に移動自在な中間ベルト挿通部６を設けたことを特徴とするベルト挿通用腰当てに係るものである。
【００１１】
また、前記両端部のベルト挿通部４の中間部にガイド帯７を付設し、このガイド帯７に環状の前記ベルト挿通片５を被嵌して、前記両端部のベルト挿通部４の中間部にこのガイド帯７に沿って移動自在な前記中間ベルト挿通部６を設けたことを特徴とする請求項１記載のベルト挿通用腰当てに係るものである。
【００１２】
【発明の実施の形態】
好適と考える本発明の実施の形態（発明をどのように実施するか）を、図面に基づいてその作用効果を示して簡単に説明する。
【００１３】
中間ベルト挿通部６となるベルト挿通片５を、例えば腰当て部２の中間部よりも右側にスライド移動させると、この右側にスライド移動した中間ベルト挿通部６と、腰当て部２の左端部に設けたベルト挿通部４との間隔が広がり、これにより、作業者の腰部の左側（腰当て部２の左寄り）に幅広な工具袋８を装着することができる。
【００１４】
逆に、中間ベルト挿通部６となるベルト挿通片５を、例えば腰当て部２の中間部よりも左側にスライド移動させると、この左側にスライド移動した中間ベルト挿通部６と腰当て部２の右端部に設けたベルト挿通部４との間隔が広がり、これにより、作業者の腰部の右側（腰当て部２の右寄り）に幅広な工具袋８を装着することができる。
【００１５】
従って、本発明は、中間ベルト挿通部６となるベルト挿通片５をスライド移動させて腰当て部２の両端部に設けたベルト挿通部４と腰当て部２の中間部に設けた中間ベルト挿通部６との間隔を任意に広狭調整できるため、幅の狭い工具袋８はもとより、幅広な工具袋８であっても腰当て部の左右を問わずに装着することができる。
【００１６】
つまり、中間ベルト挿通部を左右にスライド移動させるだけで、腰当ての右寄りにも左寄りにも幅広な工具袋８を装着し得る間隔を確保することができ、しかも、この腰当て自体を作業者の腰部に対して左右にスライド移動させることにより、幅広な工具袋を作業者の例えば腰部右寄りでも腰部左寄りでも真後ろであっても、確実に装着することができるので、右利き用としても左利き用としても使用することができる極めて実用性に秀れた画期的なベルト挿通用腰当てとなる。
【００１７】
また、例えば、前記両端部のベルト挿通部４の中間部にガイド帯７を付設し、このガイド帯７に環状の前記ベルト挿通片５を被嵌して、前記両端部のベルト挿通部４の中間部にこのガイド帯７に沿って移動自在な前記中間ベルト挿通部６を設ければ、腰部に装着したい工具袋８の大きさに応じて中間ベルト挿通部６をガイド帯７に沿って容易にスライド移動することができるため、いかなる幅広な工具袋８であっても作業者が所望する腰部の位置に確実且つスムーズに装着することができ、また、右利き用としても左利き用としても使用することができる。
【００１８】
即ち、単に前記腰当て部２にガイド帯７を付設する簡単な構成により、中間ベルト挿通部６となるベルト挿通片５はこのガイド帯７に沿って移動自在となって、スムーズなスライド移動を実現することができると共に、簡易構成で容易に設計実現可能となるなど、一層実用的となる。
【００１９】
例えば、右利きの作業者は、通常右手で工具を出し入れするため工具袋８を腰部の右側部（腰当て部２の右寄り）に配置することとなるが、このとき単に中間ベルト挿通部６をガイド帯７に沿って例えば腰当て部２の中間部よりも左側にスライド移動させることで、幅広な工具袋８であっても容易且つスムーズに装着することができることとなる。
【００２０】
また、この右利きの作業者が釘袋を携帯する場合には、通常左手で釘を出し入れするため、釘袋を腰部の左側部（腰当て部２の左寄り）に配することとなるが、今度は前記中間ベルト挿通部６をガイド帯７に沿って例えば右側へスライド移動させることで、例えば複数の釘袋、即ち、種類の異なる釘を作業者の腰部左側に一度に整理して装着することができる。
【００２１】
また、左利きの作業者に関しては、工具袋８や釘袋は、前述の右利きの作業者の場合とは逆側の位置に設けることとなるが、この場合も腰当て部２の左右どちらか一端部から中間部をこえるような幅広な工具袋８であっても、単に中間ベルト挿通部６をガイド帯７に沿って左右にスライド移動するだけで、腰当て部２に確実且つ安定的に配することができることとなる。
【００２２】
【実施例】
本発明の具体的な実施例について図面に基づいて説明する。
【００２３】
本実施例のベルト挿通用腰当ては、腰ベルト１の位置にクッション性を有する帯板状の腰当て部２を設け、この腰当て部２に形成したベルト挿通部４と中間ベルト挿通部６に工具袋８を介して腰ベルト１を挿通して、この工具袋８を腰部に配置する構成としている。
【００２４】
具体的には、この腰当て部２は、腰ベルト１よりも幅広な帯板状に構成している。
【００２５】
また、この腰当て部２は、腰部を略覆い得る長さに設定している。
【００２６】
また、腰当て部２には、腰当て部２の保形性を強化する帯板状の補強帯９を設けている。
【００２７】
この補強帯９は、屈曲自在で変形しにくい化学繊維等で形成し、腰当て部２と略同じ長さと幅に構成している。
【００２８】
また、この補強帯９は、全周縁を腰当て部２に縫込み止着することにより、腰当て部２に設けた構成としている。
【００２９】
また、腰当て部２の外面両端部には、ベルト挿通部４を設けた構成としている。
【００３０】
このベルト挿通部４は、腰当て部２の両端部にベルト挿通片３を止着することにより構成している。
【００３１】
このベルト挿通部４となるベルト挿通片３は、屈曲自在で変形しにくい化学繊維等で形成する一片の帯状体に構成している。
【００３２】
そして、この一片の帯状体の両端部を、前記腰当て部２と前記補強帯９間に腰当て部２の長さ方向に対して直交する向きに縫込み止着することで、ベルト挿通片３を形成している。
【００３３】
腰当て部２に付設する補強帯９の外面には、長さ方向にガイド帯７を付設している。
【００３４】
このガイド帯７は、ベルト挿通部４となるベルト挿通片３と同様の素材で形成している。
【００３５】
また、このガイド帯７は、腰当て部２よりもやや短めの帯板状に形成している。
【００３６】
また、ガイド帯７の両端部を補強帯９の外面に止着することで、ガイド帯７を腰当て部２に付設している。
【００３７】
即ち、このガイド帯７は、止着部分である両端部を除いて補強帯９に対して離反可能に構成している。
【００３８】
このガイド帯７には、中間ベルト挿通部６を設けている。
【００３９】
この中間ベルト挿通部６は、ガイド帯７に環状のベルト挿通片５を被嵌することにより構成している。
【００４０】
このベルト挿通片５は、前述のベルト挿通片３と同様の素材により形成する一片の帯状体をガイド帯７に被嵌することにより構成している。
【００４１】
更に具体的には、腰当て部２に付設する補強帯９に対して離反可能なガイド帯７部位に、この環状のベルト挿通片５を設けている。即ち、中間ベルト挿通部６となるベルト挿通片５は、腰当て部２に対して離反可能なガイド帯７部位をガイドとして、腰当て部２の左右方向にスライド移動自在に構成している。
【００４２】
つまり、この中間ベルト挿通部６となるベルト挿通片５は、補強帯９に対するガイド帯７の止着部位間で（ガイド帯７と補強帯９とが離反可能な部位において）自由にスライド移動可能なため、腰当て部２の両端部に設けたベルト挿通部４と、腰当て部２の中間部に設けた中間ベルト挿通部６との間隔を容易且つスムーズに広狭調整でき、幅の狭い工具袋８はもとより、帯板状の腰当て部２の全長の半分以上の横幅を有する幅広な工具袋８であっても、左右を問わず（右利き左利きを問わず）、配置位置を問わずに装着することができる。
【００４３】
従って、本発明は、例えば腰当て部２の両端部及び中間部にベルト挿通部を止着した構成のベルト挿通用腰当てのように、腰当て部２の全長の半分以上の横幅を有する幅広な工具袋８を配するときに困ることはない。また、幅広な工具袋８を考慮して、予め中間ベルト挿通部を真ん中よりも左右どちらかにずらして止着したベルト挿通用腰当てのように、幅広な工具袋８が配される位置が左右どちらかに制限されることもない。即ち、本発明は、腰当て部２の中間部に位置する中間ベルト挿通部６が左右どちらへも移動できるようにしたために、幅の狭い腰袋はもちろんのこと、どんなに幅広の腰袋でも装着が可能で、しかも右利き、左利きに拘わらず、作業者の好みに応じて左右どちら側へも装着が可能となり、今までの不便を解消することができる。
【００４４】
尚、本実施例の中間ベルト挿通部６は、腰当て部２に付設した補強帯９にガイド帯７を設け、このガイド帯７にベルト挿通片５を被嵌して、ガイド帯７に沿って腰当て部２の両端部間でスライド移動自在とする構成としたが、このガイド帯７を用いずとも、腰当て部２に縫込み止着する補強帯９の中間部から左右所定長さ部位を縫込み止着しないことにより、この補強帯９が腰当て部２に対して離反可能となる部位を形成して、この離反可能となる部位にベルト挿通片５を被嵌し、この離反可能となる部位をガイドとして、腰当て部２の両端部間においてスライド移動自在に構成しても良い。
【００４５】
また、本実施例では、ガイド帯７やベルト挿通部４及び中間ベルト挿通部６の素材を、屈曲自在で変形しにくく傷がつきにくい例えば化学繊維製としたが、これと同等な強度を有する素材であれば、例えば天然素材の純綿としても良いし、天然素材に化学繊維を織り混ぜた例えば混紡などを用いて形成しても良いし、また、皮革などで構成しても良い。
【００４６】
尚、本発明は、本実施例に限られるものではなく、各構成要件の具体的構成は適宜設計し得るものである。
【００４７】
【発明の効果】
本発明は上述のように構成したから、これまでの腰当てに簡易な工夫を施すことで、異なる幅を有する腰部携帯用工具袋であっても、ベルト挿通片のスライド移動によりスムーズに装着でき、また、作業員が右利きであっても左利きであっても、作業者の好みに応じた所定位置に工具袋や釘袋を良好に配置することができる実用性に秀れた画期的なベルト挿通用腰当てとなる。
【００４８】
即ち、本発明は、単に中間ベルト挿通部となるベルト挿通片を、腰当て部の中間部を介して、この腰当て部の両端部間においてスライド移動可能とすることで、腰当て部の両端部に設けたベルト挿通部と、腰当て部の中間部に設けた中間ベルト挿通部との間隔を任意に広狭調整でき、幅の狭い工具袋はもとより、いかなる幅広な工具袋をも、左右を問わず（右利き左利きを問わず）、配置位置を問わずに極めて確実に装着することができる実用性に秀れた画期的なベルト挿通用腰当てとなる。
【００４９】
また、請求項２記載の発明においては、中間ベルト挿通部のスライド移動をよりスムーズに行うことができ、上記作用効果を一層良好且つスムーズに実現することができる実用性に秀れた画期的なベルト挿通腰当てとなる。
【図面の簡単な説明】
【図１】本実施例の全体説明斜視図である。
【図２】本実施例の工具袋を腰当て部の右寄りに配した場合を示す全体説明図である。
【図３】本実施例の工具袋を腰当て部の左寄りに配した場合を示す全体説明図である。
【図４】本実施例の幅広な工具袋を腰当て部の右寄りに配した場合を示す全体説明図である。
【図５】本実施例の幅広な工具袋を腰当て部の左寄りに配した場合を示す全体説明図である。
【図６】本実施例の使用状態を示す説明図である。
【符号の説明】
１  腰ベルト
２  腰当て部
３  ベルト挿通片
４  ベルト挿通部
５  ベルト挿通片
６  中間ベルト挿通部
７  ガイド帯
【図１】
0004712250.tif 000002
【図２】
0004712250.tif 000003
【図３】
0004712250.tif 000004
【図４】
0004712250.tif 000005
【図５】
0004712250.tif 000006
【図６】
0004712250.tif 000007